(57)【特許請求の範囲】
【請求項１】
原稿受入れトレイから給送された原稿の表裏両面を順次読取る第１及び第２のプラテンと、原稿を載置セットして読取る第３のプラテンとを有する画像読取装置であって、
前記原稿受入れトレイ上の原稿を一枚ずつ繰出す給紙手段と、
前記給紙手段からの原稿の片面を読取る第１のプラテンと、
この第１のプラテンに隣接して配置され前記第１のプラテンからの原稿の裏面を読取る第２のプラテンと、
前記第１のプラテンに隣接して配置され原稿を載置セットする第３のプラテンと、
原稿に光を照射する光源を搭載し前記第１のプラテンと第３のプラテンに沿って移動自在のキャリッジと、
前記光源から原稿に照射した光を光電変換する第１のイメージセンサと、
前記第２のプラテンに距離を隔てて対向配置され、該第２のプラテン上の原稿からの光を光電変換する第２のイメージセンサとを備え、
前記各プラテンは、第３のプラテン、第１のプラテン、第２のプラテンの順に同一平面上に配置され、
前記原稿受入れトレイは前記第３のプラテンの上方に配置され、原稿は該原稿受入れトレイから前記給紙手段で前記第１のプラテン、第２のプラテンの順に給送され、
前記キャリッジは前記第１のプラテンの読取位置と前記第３のプラテンの読取位置との間で移動自在に構成され、
前記第１のプラテンの上方にはバックアップガイドが原稿搬送通路を形成するように対向して配置され、
前記第２のイメージセンサは等倍密着型センサを前記第２のプラテンの上方に対向配置して原稿搬送通路を形成するように構成され、
前記バックアップガイドは前記第２のイメージセンサより搬送方向上流側に位置する少なくとも一部を接地された導電性部材で構成されていることを特徴とする画像読取装置。
【請求項２】
前記導電性部材は表面処理によって形成された導電塗装や導電メッキなどの導電性被覆層を有し、この導電性被膜層が接地されていることを特徴とする請求項１に記載の画像読取装置。
【請求項３】
原稿受入れトレイから給送された原稿の表裏両面を順次読取る第１及び第２のプラテンと、原稿を載置セットして読取る第３のプラテンとを有する画像読取装置であって、
前記原稿受入れトレイ上の原稿を一枚ずつ繰出す給紙手段と、
前記給紙手段からの原稿の片面を読取る第１のプラテンと、
この第１のプラテンに隣接して配置され前記第１のプラテンからの原稿の裏面を読取る第２のプラテンと、
前記第１のプラテンに隣接して配置され原稿を載置セットする第３のプラテンと、
原稿に光を照射する光源を搭載し前記第１のプラテンと第３のプラテンに沿って移動自在のキャリッジと、
前記光源から原稿に照射した光を光電変換する第１のイメージセンサと、
前記第２のプラテンに距離を隔てて対向配置され、該第２のプラテン上の原稿からの光を光電変換する第２メージセンサとを備え、
前記各プラテンは、第３のプラテン、第１のプラテン、第２のプラテンの順に同一平面上に配置され、
前記原稿受入れトレイは前記第３のプラテンの上方に配置され、原稿は該原稿受入れトレイから前記給紙手段で前記第１のプラテン、第２のプラテンの順に給送され、
前記キャリッジは前記第１のプラテンの読取位置と前記第３のプラテンの読取位置との間で移動自在に構成され、
前記第１のプラテンの上方にはバックアップガイドが原稿搬送通路を形成するように対向して配置され、
前記第２のイメージセンサは等倍密着型センサを前記第２のプラテンの上方に対向配置して原稿搬送通路を形成するように構成され、
前記バックアップガイドは前記第２のイメージセンサより搬送方向上流側に位置する少なくとも一部を導電性部材で構成し、前記第２のイメージセンサには前記搬送通路に面する導電性被覆層を設け、この導電性被膜層と前記導電性部材とをそれぞれ接地したことを特徴とする画像読取装置。
【請求項４】
前記バックアップガイドの導電性部材の接地と、前記第２のイメージセンサに形成された導電性被覆層の接地とは、それぞれ互いに電気的に別個に行われていることを特徴とする請求項３に記載の画像読取装置。
【請求項５】
原稿の画像を読み取って電気信号に変換する画像読取装置を具備し、該画像読取装置から入力される前記電気信号に基づいて画像を形成する画像形成装置において、前記画像読取装置は、
原稿受入れトレイと、
この原稿受入れトレイ上の原稿を一枚ずつ繰出す給紙手段と、
前記給紙手段からの原稿の片面を読取る第１のプラテンと、
この第１のプラテンに隣接して配置され前記第１のプラテンからの原稿の裏面を読取る第２のプラテンと、
前記第１のプラテンに隣接して配置され原稿を載置セットする第３のプラテンと、
原稿に光を照射する光源を搭載し前記第１のプラテンと第３のプラテンに沿って移動自在のキャリッジと、
前記光源から原稿に照射した光を光電変換する第１のイメージセンサと、
前記第２のプラテンに距離を隔てて対向配置され、該第２のプラテン上の原稿からの光を光電変換する第２のイメージセンサとを備え、
前記各プラテンは、第３のプラテン、第１のプラテン、第２のプラテンの順に同一平面上に配置され、
前記原稿受入れトレイは前記第３のプラテンの上方に配置され、原稿は該原稿受入れトレイから前記給紙手段で前記第１のプラテン、第２のプラテンの順に給送され、
前記キャリッジは前記第１のプラテンの読取位置と前記第３のプラテンの読取位置との間で移動自在に構成され、
前記第１のプラテンの上方にはバックアップガイドが原稿搬送通路を形成するように対向して配置され、
前記第２のイメージセンサは等倍密着型センサを前記第２のプラテンの上方に対向配置して原稿搬送通路を形成するように構成され、
前記バックアップガイドは前記第２のイメージセンサより搬送方向上流側に位置する少なくとも一部を接地された導電性部材で構成されていることを特徴とする画像形成装置。
【発明の詳細な説明】
【０００１】
【発明の属する技術分野】
本発明は、原稿画像をスキャニングしてこれを光学的に読み取って電子データを出力するための画像読取装置に関し、特に、通常ＡＤＦと称される自動原稿給紙装置によって原稿受入トレイから一枚ずつ繰り出された原稿シートの表裏両面の画像を読取るための２つの光学読取センサ（以下、「イメージセンサ」という）を具備する画像読取装置及び該画像読取装置を具備する画像形成装置に関する。
【０００２】
【従来の技術】
通常スキャナと呼ばれる画像読取装置は、原稿の画像を光学的に読み取って電気データに変換して、これを外部のパーソナルコンピュータ、複写機、ファクシミリ装置等の画像形成装置に送信する。あるいは、ネットワーク上に接続される。また、画像形成装置は、通常このような画像読取装置を具備する。
【０００３】
画像読取装置は、自動原稿給紙装置によって原稿受入トレイから一枚ずつ繰り出されて搬送されてくる原稿シートの画像を読取るためのイメージセンサを有する。さらに、最近の画像読取装置においては、自動原稿給紙装置によって一枚ずつ繰り出される原稿シートを、２つの別個のイメージセンサを設けることにより、原稿シートをスイッチバック走行させることなく１回の原稿搬送パスで、原稿シートの表裏両面の画像を読取るように構成された機能を有するものが提案されている。
【０００４】
例えば、原稿シートの一方の面に描かれた画像を読み取るためには縮小光学系のイメージセンサを用い、原稿シートの他方の面に描かれた画像を読み取るためには等倍光学系のイメージセンサを有する画像読取装置が用いられてきている。
【０００５】
ところで、このような画像読取装置においては、原稿シートを受け入れる原稿受入トレイから繰り出される原稿シートを１枚ずつ分離し、一連の搬送ローラにより読取部へ搬送する機構となっているため、原稿シートは、それ自体が元より帯電していることに加え、こうした繰出、分離及び搬送時に各ローラや搬送通路の壁面に接触を繰り返す結果、原稿シートやその搬送路周縁が帯電する傾向にある。こうした帯電現象は、原稿シートの搬送に障害を与え所謂原稿ジャムを発生させ、また画像の読取機能に悪影響を及ぼすが、特に、原稿シートの分離時に発生する静電気が最も多いため、この種の画像読取装置にとっては回避できない大きな問題となっている。
【０００６】
特に等倍光学系である密着型のイメージセンサによる画像の読み取りにおいては、イメージセンサは原稿シートに摺接して画像を読み取るため、静電気の放電現象の影響を大きく受けて読取画像上にノイズが生じたり、あるいは、原稿シートがイメージセンサや対抗するプラテンに吸引されて原稿シートの搬送移動がスムースに行われず読取画像の歪みなどが発生し易い、という問題がある。
【０００７】
このような静電気を除去するための手段として、例えば実開平２−１３４７７７号公報においては、縮小光学系のイメージセンサの直前と直後に除電ブラシを設けた構成が開示されている。
【０００８】
また、特開平３−３４７３号公報では、等倍光学系の密着イメージセンサの画像読取位置の直前に除電ブラシを設けた構成を提案している。
【０００９】
【発明が解決しようとする課題】
これらのいずれの公報に開示された画像読取装置の構成でも、イメージセンサによる画像読取位置の直前に除電ブラシを設けているが、除電ブラシは、弱い力とはいえ、搬送されてくる原稿シートを圧接するため、硬質な原稿シートでない限り、原稿シートが画像読取位置の直前で変形し読取画像に歪みが生じてしまう場合があった。また、イメージセンサから原稿シートに照射される照射光が除電ブラシにより反射され、この反射光をイメージセンサが受光して、読取画像にハレーション等の悪影響が生じる場合もあった。
【００１０】
また、特に原稿シートの上面画像を読み取るイメージセンサが等倍密着型である場合、焦点深度が浅いために、原稿シートを狭いスペースの読取部に安定走行させなければならない必要性がある。
【００１１】
本発明は従来の画像読取装置のこのような欠点を解消するためになされたものであり、その読取画像に歪みやハレーション等の悪影響を及ぼすことを防止すると共に原稿シートの安定走行を図るべく、原稿シートや搬送ローラを含む搬送通路周縁に帯電された静電気を効果的に除去できる画像読取装置およびこのような画像読取装置を備えた画像形成装置を提供することを目的とする。
【００１２】
【課題を解決するための手段】
本発明は上記課題を達成するため、原稿受入れトレイから給送された原稿の表裏両面を順次読取る第１及び第２のプラテンと原稿を載置セットして読取る第３のプラテンとを有する画像読取装置を以下の構成にしたものである。前記原稿受入れトレイ上の原稿を一枚ずつ繰出す給紙手段と、前記給紙手段からの原稿の片面を読取る第１のプラテンと、この第１のプラテンに隣接して配置され前記第１のプラテンからの原稿の裏面を読取る第２のプラテンと、前記第１のプラテンに隣接して配置され原稿を載置セットする第３のプラテンと、原稿に光を照射する光源を搭載し前記第１のプラテンと第３のプラテンに沿って移動自在のキャリッジと、前記光源から原稿に照射した光を光電変換する第１のイメージセンサと、前記第２のプラテンに距離を隔てて対向配置され、該第２のプラテン上の原稿からの光を光電変換する第２のイメージセンサとを備える。そして前記各プラテンは第３のプラテン、第１のプラテン、第２のプラテンの順に同一平面上に配置し、前記原稿受入れトレイは前記第３のプラテンの上方に配置され、原稿は該原稿受入れトレイから前記給紙手段で前記第１のプラテン、第２のプラテンの順に給送されるようにする。また前記キャリッジは前記第１のプラテンの読取位置と前記第３のプラテンの読取位置との間で移動自在に構成し、前記第１のプラテンの上方にはバックアップガイドが原稿搬送通路を形成するように対向して配置される。前記第２のイメージセンサは等倍密着型センサを前記第２のプラテンの上方に対向配置して原稿搬送通路を形成するように構成し、前記バックアップガイドは前記第２のイメージセンサより搬送方向上流側に位置する少なくとも一部を接地された導電性部材で構成する。
【００１３】
ここで、前記第１のプラテンと前記第２のプラテンは、各プラテンの前記原稿シートを支持する各搬送面が連続する同一平面で構成される。
【００１４】
これにより、バックアップガイドの原稿シート搬送側の導電性部材は帯電することはなく、また、搬送された原稿シートは、帯電されていてもこの導電性部材に接触することにより接地されるので、帯電していない状態で第２のイメージセンサに搬入される。
【００１５】
また、本発明の画像読取装置において、前記導電性部材を、前記バックアップガイドの前記第２のイメージセンサ側に向かう搬送方向前方部に形成することができ、また、前記バックアップガイドの前記前方部を、前記第２のイメージセンサの底部に向け下降傾斜するよう構成することができる。
【００１６】
このような構成により、導電性部材が、原稿シートの第２のイメージセンサへの導入を最終的に規制するバックアップガイドの前方部に位置するため、原稿シートとの接触をより確実に行うことができる。また、その前方部を傾斜させることで、第１のプラテン及び第２のプラテンを同一平面で構成したことに加え、バックアップガイドの第２のイメージセンサへの搬送案内機能をより確実かつスムースに行うことができる。
【００１７】
また、前記導電性部材を、表面処理によって作成された導電性被覆層とすることができ、ここで、表面処理として導電塗装処理又は導電メッキ処理を採用することができる。
【００１８】
これにより、バックアップガイドの基材として、金属などの導電性部材以外のものを採用することができる。また、導電性部材を安価に作成することができる。
【００１９】
一方、前記第２のイメージセンサには、その表面において接地された導電性被覆層を形成することができる。この場合、前記バックアップガイドの導電性部材の接地と、前記第２のイメージセンサに形成された導電性被覆層の接地とは、それぞれ互いに別個に行うことが望ましい。
【００２０】
このため、第２のイメージセンサは、それ自体の帯電が防止されると共に、接地を電気的に別個にすることにより、原稿シートからバックアップガイド導電部材を介した接地電流による影響からも保護される。
【００２３】
一方、本発明の画像形成装置は、以上の構成を有した画像読取装置を具備したものであり、該画像読取装置からの正確な画像の電子データを受け取ることができるので、画像データの読み取りを精緻且つ正確に行うことを可能にする。
【００２４】
【発明の実施の形態】
以下、図面を参照しながら、本発明の実施の一形態を説明する。
【００２５】
図１は、本発明の第一の実施の形態の画像読取装置の全体的構成を示す縦断面図であり、図２は図１の要部拡大断面図であり、図３はこの実施の形態の画像読取装置の上部ユニットを上側に開いた状態を表わす、図１の手前方向から見た斜視図を示す。
【００２６】
図１乃至図３において、符号１は本体ユニットを示し、この本体ユニット１に上部ユニット２がヒンジ３３により開閉自在に取り付けられている。本体ユニット１の外側は筐体３により形成され、この筐体３の一側面に排紙トレイ４が固着されている。また、排紙トレイ４と反対側の筐体３の上面には、上部ユニット２を上方に開放し厚手原稿等をその上に載置し読取るための透明なガラス板であるプラテン５（第３のプラテン）が組み込まれている。
【００２７】
また、図２に示す様に、このプラテン５を固定するための筐体３の一部である固定部３ｂのプラテン５の反対側には、原稿シートを１枚ずつ搬送してその画像を読み取るため原稿を支える透明なガラス板であるプラテン６（第１のプラテン）が、同じく原稿シートを１枚ずつ搬送してその画像を読み取るため原稿を支える不透明な白色部材で形成されたプラテン７（第２のプラテン）と一体的に組み合わされて固定されている。この固定部３ｂは、そのプラテン６側の端部をステップ状に切り欠いて該ステップ部にプラテン６を固定している。プラテン６とプラテン７とはほぼ同一の形状の長方形で、それぞれの厚みは厳密に等しく形成されている。また、筐体３の上面には、固定部３ｂ同様にプラテン７を固定する固定部３ａが形成されている。プラテン７のプラテン６側端部は、プラテン６の厚みに相当する切り欠き形成され、該切り欠きにプラテン６を係合し固定している。こうして、プラテン６及び７は、共に各一端がこれら固定部３ａ、３ｂに支持され、かつ他端同士が固定され、それらの上面が同一平面を形成するよう筐体３に嵌合されている。
【００２８】
排紙トレイ４側の上部ユニット２の端部には原稿シートを排紙するための一対の排紙ローラ８、３２が設けられている。その一の排紙ローラ８は図示しないモータにより駆動される。
【００２９】
筐体３の内部には、読み取られ縮小された画像を電気信号に変換する縮小光学系イメージセンサ（第１のイメージセンサ）が収納されている。符号９、１０はこの縮小光学系イメージセンサの一部をなすキャリッジであり、図示しないモータにより駆動され互いに連動して所定の距離関係を保ちながら、即ちキャリッジ９に対しキャリッジ１０は１／２の変位で筐体３の内部を図の左右方向に移動する。キャリッジ９には、固定位置であるいは移動しながら原稿に照射光を投光するための光源１１と、該光源１１により投光された照射光の原稿からの反射光を受光して水平方向の反射光に方向を変換するための反射鏡１２とが搭載されている。キャリッジ１０には、反射鏡１２から反射された水平方向の反射光を垂直方向の光線に方向転換するための反射鏡１３と、該反射鏡１３により反射された垂直方向の反射光を前記反射鏡１２からの反射光と反対方向の水平方向反射光として方向転換する反射鏡１４とが搭載されている。符号１５は反射鏡１４からの反射光を受光して合焦させるための集光レンズである。各キャリッジ９及び１０の光源１１及び反射鏡１２〜１４並びに集光レンズ１５が縮小光学系イメージセンサを形成する。符号１６は該集光レンズ１５により合焦された反射光を受光して電気信号に変換するＣＣＤから成るイメージセンサ部である。イメージセンサ部１６の出力端には、図示しないリード線が接続され、該リード線を介して、前記原稿からの反射光が電気信号として変換された画像信号が図示しない複写機本体部ないしファックシミリ装置本体部等の画像形成装置の本体部に送信される。
【００３０】
上部ユニット２の外側は筐体１７及び上蓋２０により形成され、筐体１７の下面の前記本体ユニット１のプラテン５に対応する部分には、このプラテン５の上に載置された原稿を柔らかく押圧して固定するための弾力性を有する押圧部材１８が固着されている。押圧部材１８は、弾性変形可能な厚みのある多孔質層と、この多孔質層をその下面から覆う柔軟な表面レイヤーとで形成されている。
【００３１】
符号１７ａは１枚ずつ搬送して画像を読み取るための原稿を積み重ねて載置するための原稿受入トレイである。原稿受入トレイ１７ａは前記プラテン６側に原稿が移動するようにプラテン６側を低くして傾斜を持たせて形成されている。この原稿台１７ａの傾斜面のプラテン６側の端部には、原稿台１７ａ上に載置された原稿を１枚ずつプラテン６上に供給するためこれを挟み込む一対の給紙ローラ１９、２２が互いに転接するよう設けられている。
【００３２】
給紙ローラ１９の図の右側の筐体１７の一部は平坦部１７ｂを形成しており、この平坦部１７ｂと、後述する密着型イメージセンサを収納した上蓋２０との間には、原稿を１枚ずつ該イメージセンサに搬送するためこれを受け入れる給紙口２１が形成されている。この給紙口２１とプラテン６との中間部には、給紙口２１から挿入された原稿をプラテン６及び７上に搬送するため一対の給紙ローラ４０、２３が給紙ローラ１９、２２同様に設けられている。また、給紙ローラ１９、２２から前記排紙ローラ８までの間には、上下一対の板状体４５、４６を介して平坦部１７ｂ及び第１のプラテン６へ向かう傾斜部１７ｃを有した原稿の搬送通路２４が形成されている。給紙ローラの１９、４０は図示しないモータにより駆動される。
【００３３】
原稿受入トレイ１７ａには、図示されていないが、積載された原稿シートをその最下端から繰り出すためのローラ及び原稿シートを分離させるためのローラが収められている。
【００３４】
また、符号４８は、原稿受入トレイ１７ａから搬送される原稿シートを搬送通路２４内へ導入するための上部ガイドとその導入をストップさせるためのストッパーであり、読取動作と給紙とのタイミングにより動作する。
【００３５】
上蓋２０内の前記密着型イメージセンサ（第２のイメージセンサ）においては、搬送通路２４内を搬送されてくる原稿の裏面（上方に向いた面）に画像を読み取るための照射光を投光する光源２５と、該照射光と原稿シートの裏面からの反射光とを透過するコンタクトガラス２７と、該反射光を平行光とするためのセルホックレンズ２６と、該セルホックレンズの透過光を検出して電気信号に変換するラインイメージセンサ部２８と、回路基板３０とが、コンタクト・イメージ・センサ（第２のイメージセンサ、以下ＣＩＳともいう）ユニット２９に一体的に固定されている。
【００３６】
ＣＩＳには、プレート状のバックアップガイド３９が搬送方向前方部３９ａで一体固定され、ＣＩＳユニット２９を構成している。バックアップガイド３９は、その搬送方向後方部３９ｂにおいて、搬送通路２４の上記傾斜部１７ｃと整合する搬送通路を固定部３ｂとの間で形成するため、搬送方向に沿って第１のプラテン６に向けて下降傾斜し、引き続き、第１のプラテン側前方部３９ａを残した略中央おいて、第１のプラテン６との平行部３９ｃが形成され、更に該前方部３９ａにおいて、ほぼ一定の角度で緩やかに下降傾斜しながらＣＩＳの底面と連接している。
【００３７】
バックアップガイド３９は、上蓋２０の左右の側板４２から突出した一対の回動ピン３１に軸支されており（図２）、ＣＩＳユニット２９は回動ピン３１を支点として回動する。また、バックアップガイド３９の搬送方向後方部３９ｂには、これを下方に押圧する搬送方向に左右一対の押圧バネ３４の各一端が取り付けられ、それらバネの他端は、同じく左右の側板４２の上方から側方に突出したバネ支持部材４９に取り付けられている。
【００３８】
ＣＩＳユニット２９の搬送方向端部には、その底部の左右隅部にスペーサ３５が設けられており、該スペーサ３５が本体ユニット１上面に当接することによって、第１のプラテン６とバックアップガイド３９の間及び第２のプラテン７とＣＩＳ底部の光透過体であるコンタクトガラス２７との間の各ギャップ（搬送通路高さ）が、前者が後者よりも大きく規定され、原稿シートが各ギャップ内を各々の焦点深度内で安定的に搬送され、各イメージセンサ部１６及び２８が合焦した画像を受光できる適度な間隔が形成される。
【００３９】
例えば、第１のプラテン６と平行なバックアップガイド３９との平行部３９ｃとのギャップは２ｍｍに、また、第２のプラテン７とコンタクトガラス２７とのギャップは０．５ｍｍに設定する。
【００４０】
前方傾斜部３９ａは、平行部３９ｃから連続平面を形成するように緩やかに傾斜し前方へ約４０ｍｍ下方へ約１５ｍｍの傾斜割合で、コンタクトガラス２７とその底面を連接している。
【００４１】
この傾斜した前方部３９ａには、導電性塗装の表面処理がなされており、この導電性の部材は、上部ユニット１７に接地（Ｇ１）されている。尚、バックアップガイド３９自体の材質は、プラスチックであるが、導電性塗装としては、銅メッキなどが用いられ、その表面は平滑であるので原稿シートとの摺接はスムースに行われ、この塗装によって搬送にはなんらの障害をも生じない。
【００４２】
云うまでも無い事であるが、バックアップガイドに用いられるプラスチック自体が導電性材料（例えば、カーボン繊維を練り込んだもの）であっても良い。
【００４３】
一方、第２のイメージセンサＣＩＳは、その底部の光透過体であるコンタクトガラス２７を残して、その表面には、バックアップガイドの前方部３９ａと同様の導電性塗装がされ、前方部３９ａとは互いに影響し合うことなく別個に上部ユニット１７に接地（Ｇ２）されている。
【００４４】
なお、本実施の形態の画像読取装置においては、原稿の位置や原稿上の画像の存否を検出する複数個の図示しないセンサが設けられており、さらに、該センサの検出信号に基づいて、上記図示しないモータの回転駆動動作、上記キャリッジ９、１０の移動動作、上記光源１１、２５の点滅制御及びイメージセンサ部１６、２８などを制御するための制御回路（図示せず）が設けられている。
【００４５】
次に本実施の形態の動作について説明する。
先ず、図１の様にセットされた読取装置において、ＣＩＳユニット２９は、回動ピン３１を中心として押圧バネ３４により時計方向の回転モーメントを受け、他方自重により反時計方向の回転モーメントを受けている。これら各モーメントがバランスし、上蓋２０が上方に開放されたとき水平面よりもやや下方に垂下するようにされたスペーサ３５が、上蓋が閉じたときに本体ユニット１の上面に当接し、フローティング状態に維持される。このとき、ＣＩＳユニット２９と上部ユニット２との相対位置は、第１プラテン及び第２プラテン上のギャップを規定する。
【００４６】
原稿シートを１枚ずつ第１及び第２のイメージセンサに供給して複写ないし送信する場合には、これらの原稿を上部ユニット２の原稿受入トレイ１７ａ上に積み重ねて載置する。これらの原稿は、繰出しローラや分離ローラ（図示せず）及び給紙ストッパー４８を介して１枚ずつ給紙口２１を通って、各給紙ローラ対１９、２２及び４０、２３により搬送路２４を通ってプラテン６上に供給される。このとき、本体ユニット１のキャリッジ９、１０はそれらが移動可能な位置のうち図１中で最も左側の停止位置にある。
【００４７】
図示しない原稿センサからの検出信号により制御回路が、原稿がプラテン６上に到達したことを検知すると、制御回路はキャリッジ９、１０を停止位置に停止させたまま、光源１１から照射光を原稿に投光せしめる。この照射光は透明なガラス板であるプラテン６を透過して、原稿の表面に照射され、原稿の表面で反射されて反射光となり、反射鏡１２、１３、１４を介して集光レンズ１５に入射する。集光レンズ１５に入射した反射光は、集光レンズ１５によりイメージセンサ部１６上に合焦して、イメージセンサ部１６上に原稿の表面側（下方に向いた面）の縮小画像が結像される。イメージセンサ部１６は、制御回路からの制御信号に基づき、この縮小画像に対応した電気信号を画像形成装置等の本体部に送信し、画像形成装置等の本体部はこの電気信号に基づいて画像の再生ないしは送信を行う。
【００４８】
プラテン６とその上方のバックアップガイドの平行部３９ｃとのギャップは、縮小光学系イメージセンサの比較的大きな焦点深度に従って設定されているため、プラテン６への原稿シートの搬送は比較的容易に、かつ、ジャムるなどの問題が発生することがなく行うことができる。
【００４９】
次に、原稿シートは、第２のイメージセンサに対向するプラテン７上に移行する。このとき、原稿シートの下面側は、プラテン６とプラテン７とは一体的に構成されており、プラテン６の上面とプラテン７の上面とは同一の平面を形成しているので、原稿シートの滑らかな走行性に好適な平面を提供する。
【００５０】
一方、バックアップガイド３９の前方部３９ａは、平行部３９ｃから連続的に下降傾斜してＣＩＳのコンタクトガラス２７の底部に連接しているので、原稿シートをプラテン７の上面に向けスムースに押し下げるように案内する。
【００５１】
ここで、前方部３９ａには導電性塗装がされているため、帯電した原稿シートは、この導電性塗装との接触により確実に接地され、除電される。
【００５２】
また、ここで除電されるまで原稿シートが帯電した状態であっても、第１のプラテン上のギャップは比較的大きいため、帯電による搬送障害は比較的小さく、また、各イメージセンサの画像読取機能に与える電気的影響も問題にならない。
【００５３】
このように、除電された原稿シートが、コンタクトガラス２７とプラテン７との間隔内に搬送される。ここで、第２のイメージセンサは、コンタクトガラス２７を除いた表面が導電性塗装を介して接地されているので、この部分には静電気自体が存在せず、かつ、その接地もバックアップガイドの接地とは電気的に独立しているため、バックアップガイドの前方部３９ａからの接地電流の影響を受けることはない。また、仮にバックアップガイドでの原稿シートの除電がなされず又は不完全であった場合でも、コンタクトガラス２７周縁部の導電性塗装との接触によりその除電が行われる。
【００５４】
こうして、第２のイメージセンサに施された導電性塗装は、イメージセンサ自体から静電気を除電すると共に、バックアップガイドの前方部３９ａでの除電による接地電流の影響から第２のイメージセンサを保護する。
【００５５】
原稿シートのプラテン７上への到達は、図示しない制御回路によって検出され、光源２５に照射光を投光せしめる。光源２５により投光された照射光はコンタクトガラス２７を透過して原稿の裏面に照射され、この裏面で反射され反射光はコンタクトガラス２７を再度透過しセルホックレンズ２６により平行光となってイメージセンサ部２８に入射する。イメージセンサ部２８は、制御回路の制御により、この反射光に対応した電気信号を画像形成装置等の本体部に出力し、その本体部は、この電気信号に基づいて、原稿の裏面の画像の再生ないし送信を行う。表面と裏面の画像の読み取りが行われた原稿は、排紙ローラ対８、３２により上蓋２０から排出され、排紙トレイ４上に堆積される。
【００５６】
このようにして読み取られた原稿シートの裏面から読み取った画像の電気信号には、第２のイメージセンサとその近傍の静電気によるノイズが入り込んでおらず、また、バックアップガイドの除電によるノイズの影響も受けることがない。
【００５７】
本実施の形態においては、バックアップガイドの前方部３９ａが導電性塗料により導電性とされているため、安価に導電性被覆層が形成できる。さらに、プラテン６とプラテン７とはそれらの間にローラや空間部を形成することなく連接して同一平面を形成するように一体的に構成されているので、原稿シートのプラテン６とプラテン７上での滑らかな移行に更に寄与している。
【００５８】
なお、本実施の形態においてバックアップガイドの前方部３９ａのみを導電性被覆層したが、もちろん他の部分を含めても良い。第１のイメージセンサへの反射光に影響を与えるバックアップガイドの平行部３９ｃは、白色系基準の塗装がなされる必要があるが、この白色系塗装を含めてバックアップガイド全てに対して導電性塗装により導電性被膜層を形成しても良い。また、導電性被膜層の形成は、導電性塗料の塗布に限らず、導電性メッキ処理や、導電性金属箔の貼り付け、バックアップガイド表面全体を金属板で形成すること等の他の方法によってもよいことも勿論である。
【００５９】
図４は、第２の実施の形態の画像読取装置の主要部分を示す断面図である。図４において図２に示した画像読取装置の構成要素と同一の構成要素には同一の番号を付してその説明を省略する。ここでは、第２のイメージセンサの搬送方向前方にもその底面を共通にしたバックアップガイドの搬出部３９ｄを設けており、かつ、その全面には第１の実施の態様と同様、接地された導電性塗装が形成されている。この接地（Ｇ３）は、バックアップガイド前方部３９ａ及び第２のイメージセンサの各接地Ｇ１、Ｇ２とは、互いに電気的に影響を与えないようになされる。
【００６０】
第１の実施の態様では、第２のイメージセンサで読取中の除電は、原稿シートとコンタクトガラス２７周縁部との接触のみによってしか行うことができないが、本実施の態様では、第２のイメージセンサには、その前方にも導電性被膜層が形成されることから、第２のイメージセンサで読取中の原稿シートであっても、更にその原稿シートの前端部が、バックアップガイドの搬出部３９ｄで接触を継続することによりより広い接触面積でかつ長い時間で（飽和しないで）静電気の除電を行うことができる。
【００６１】
また、搬出部３９ｄでの除電は、第２のイメージセンサの画像読み取りに影響を与えないことは、第１の実施の態様と同様である。
【００６２】
次に、図５は、本発明の第３の実施の形態の画像読取装置の主要部分を示す断面図である。図５において図２に示した画像読取装置の構成要素と同一の構成要素には同一の番号を付してその説明を省略する。ここで、図５において図２と異なる点は、バックアップガイド及び第２のイメージセンサに導電性被膜層を形成せず、代えて、第１のプラテンに最も近い搬送ローラ対２３、４０の後方直近に接地された除電ブラシ５１を臨ませて原稿シートの裏面と接触する構成とした点である。
【００６３】
本実施の形態においては、原稿シートが第１のイメージセンサに読み取られる直前に除電することができるので読取までの間に再度帯電する可能性は少なく、かつ、除電ブラシ５１と第１のイメージセンサとの間に搬送ローラ対２３、４０が介在するので、除電ブラシ５１の押圧力により原稿シートが変形してもその変形はこの搬送ローラ対により矯正され、また、除電ブラシ５１と画像読取位置とが離れているために、第１のイメージセンサの照射光の除電ブラシ５１からの反射光がキャリッジ９に入り込むことはない。
【００６４】
また、除電ブラシ５１をこの搬送ローラ対の前方直近の設けても、搬送ローラによる原稿シートへの支持力が作用しているので、除電ブラシ５１の押圧力にある程度抗することができ、その変形を低減させることができる。尚、図示しないがカーボン繊維を織り込んだ布などで除電する例も利用可能である。
【００６５】
本発明において、バックアップガイドに導電性部材を形成した構成では、バックアップガイドの原稿シート搬送側の導電性部材は帯電することはなく、また、搬送された原稿シートは、帯電されていてもこの導電性部材に接触することにより接地されるので、帯電していない状態で第２のイメージセンサに搬入されるので、そのイメージセンサでの画像読取を行うにあたって静電気ノイズによる電気的障害や原稿シートの搬送移動に伴う機械的障害（静電気による吸着など）を効果的に防ぐことができる。
【００６６】
また、同じく除電ブラシを採用した構成では、原稿シートが変形されることを防ぎながら、かつ、イメージセンサがこの除電ブラシから光学的影響を受けることを回避することができる。
【００６７】
一方、本発明の画像形成装置は、上述した画像読取装置を具備しているので、ノイズなどのない外乱のない正確な画像の電気データを受け取ることができるので、画像の再現を忠実に行うことができる。
【図面の簡単な説明】
【図１】本発明の画像読取装置の第１の実施の形態の画像読取装置の全体的構成を示す縦断面図である。
【図２】図１に示した実施の形態の要部拡大断面図である。
【図３】図１に示した画像読取装置の斜視図である。
【図４】本発明の画像読取装置の第２の実施の形態を示す、図２と同様の要部拡大断面図である。
【図５】本発明の画像読取装置の第３の実施の形態を示す、図２と同様の要部拡大断面図である。
【符号の説明】
５  プラテン（第３のプラテン）
６  プラテン（第１のプラテン）
７  プラテン（第２のプラテン）
９、１０  キャリッジ（第１のイメージセンサ、縮小光学系）
１１  光源（縮小光学系イメージセンサ）
１２、１３、１４  反射鏡（縮小光学系イメージセンサ）
１５  集光レンズ（縮小光学系イメージセンサ）
１６  イメージセンサ部（縮小光学系イメージセンサ）
１７ａ  原稿受入トレイ
１９、２２  給紙ローラ対（自動原稿給紙手段）
２１  給紙口
２３、４０  給紙ローラ対（自動原稿給紙手段）
２５  光源（等倍光学系イメージセンサ）
２６  セルホックレンズ（等倍光学系イメージセンサ）
２７  コンタクトレンズ（等倍光学系イメージセンサ）
２８  イメージセンサ部（等倍光学系イメージセンサ）
２９  ＣＩＳユニット（第２のイメージセンサ）
３０  回路基板（等倍光学系イメージセンサ）
８、３２  排紙ローラ対（自動原稿給紙手段）
３９  バックアップガイド
３９ａ  バックアップガイド前方部
３９ｂ  バックアップガイド後方部
３９ｃ  バックアップガイド平行部
３９ｄ  バックアップガイド搬出部
５１  除電ブラシ
【図１】
0003613163.tif 000002
【図２】
0003613163.tif 000003
【図３】
0003613163.tif 000004
【図４】
0003613163.tif 000005
【図５】
0003613163.tif 000006